(57)【要約】【課題】複数の部材で形成されていても、簡易な構成で、性能不良を抑制することができる電極端子を備えた蓄電素子を提供する。【解決手段】容器１００と、容器１００を貫通する負極端子３００であって、少なくとも一部が容器１００の外方に配置される外部材３１０、及び、少なくとも一部が容器１００の内方に配置される内部材３２０を有する負極端子３００とを備え、負極端子３００は、外部材３１０及び内部材３２０の一方が他方に向けて突出する凹凸構造で形成されたかしめ接合部３３０を有する。【選択図】図４Ｂ
2019009045.tif 000002
【特許請求の範囲】
【請求項１】
容器と、
前記容器を貫通する電極端子であって、少なくとも一部が前記容器の外方に配置される外部材、及び、少なくとも一部が前記容器の内方に配置される内部材を有する電極端子とを備え、
前記電極端子は、前記外部材及び前記内部材の一方が他方に向けて突出する凹凸構造で形成されたかしめ接合部を有する
蓄電素子。
【請求項２】
前記かしめ接合部において、前記他方は、前記一方から前記他方に向けた方向に突出する凹凸構造で形成されている
請求項１に記載の蓄電素子。
【請求項３】
前記内部材は、前記容器を貫通する軸部と、前記軸部の外周から外方に突出した突出部とを有し、
前記かしめ接合部は、前記突出部に配置されている
請求項１または２に記載の蓄電素子。
【請求項４】
前記電極端子は、複数の前記かしめ接合部を有する
請求項１〜３のいずれか１項に記載の蓄電素子。
【請求項５】
前記複数のかしめ接合部は、前記内部材の軸部を挟む位置に配置されている
請求項４に記載の蓄電素子。
【請求項６】
前記かしめ接合部は、前記電極端子が前記容器を貫通する方向から見て、非円形の形状を有している
請求項１〜５のいずれか１項に記載の蓄電素子。
【請求項７】
前記外部材及び前記内部材のうちの前記他方に向けて突出する前記一方が、前記他方よりも硬い
請求項１〜６のいずれか１項に記載の蓄電素子。
【発明の詳細な説明】
【技術分野】
【０００１】
本発明は、電極端子を備えた蓄電素子に関する。
【背景技術】
【０００２】
従来、電極端子を備え、当該電極端子が複数の部材で形成された構成の蓄電素子が知られている。例えば、特許文献１には、裏面に有底孔が形成された外部端子としての金属板と、当該有底孔に圧入された内部端子としての金属軸とを有する電極構造（電極端子）を備えた密閉型電池（蓄電素子）が開示されている。
【先行技術文献】
【特許文献】
【０００３】
【特許文献１】特許第５６３９５５８号公報
【発明の概要】
【発明が解決しようとする課題】
【０００４】
しかしながら、上記従来の蓄電素子では、外部端子に内部端子が圧入されて電極端子を形成する構造であるため、電極端子の製造が困難であるとともに、性能不良が生じる可能性があるという問題がある。つまり、本願発明者は、２部材間の圧入により電極端子を形成する場合、部材を圧入構造に加工するのが困難であるとともに、圧入の際に軸部に大きな力をかける必要があるため、電極端子の平面度が悪影響を受けやすく、バスバーとの溶接時の不良の原因となるという問題を見出した。
【０００５】
本発明は、上記問題に鑑みてなされたものであり、複数の部材で形成されていても、簡易な構成で、性能不良を抑制することができる電極端子を備えた蓄電素子を提供することを目的とする。
【課題を解決するための手段】
【０００６】
上記目的を達成するために、本発明の一態様に係る蓄電素子は、容器と、前記容器を貫通する電極端子であって、少なくとも一部が前記容器の外方に配置される外部材、及び、少なくとも一部が前記容器の内方に配置される内部材を有する電極端子とを備え、前記電極端子は、前記外部材及び前記内部材の一方が他方に向けて突出する凹凸構造で形成されたかしめ接合部を有する。
【０００７】
これによれば、蓄電素子は、外部材及び内部材を有する電極端子を備え、電極端子は、外部材及び内部材の一方が他方に向けて突出する凹凸構造で形成されたかしめ接合部を有している。つまり、本願発明者は、かしめによる接合は、かしめ部分に局所的な力を加えて塑性変形させればよいため、圧入による接合よりも小さな力で接合することができる点に着目した。このため、電極端子を形成する際に外部材及び内部材をかしめにより接合（かしめ接合部を形成）することで、圧入により構成される従来の電極端子よりも小さな力で接合することができる。これにより、電極端子の平面度が悪影響を受けるのを簡易に抑制することができるため、複数の部材で形成されていても、簡易な構成で、性能不良を抑制することができる電極端子を形成することができる。
【０００８】
また、前記かしめ接合部において、前記他方は、前記一方から前記他方に向けた方向に突出する凹凸構造で形成されていることにしてもよい。
【０００９】
これによれば、電極端子は、かしめ接合部において、外部材及び内部材の上記他方が、上記一方から他方に向けた方向に突出する凹凸構造で形成されている。これにより、電極端子は、かしめ接合部において、表面に凸部が形成されることとなる。ここで、圧入により電極端子を形成したような場合には、電極端子の表面は平坦なままであるので、電極端子の位置を把握するのが困難な場合がある。このため、電極端子の表面に凸部が形成されることで、当該凸部によって電極端子の位置を把握することができる。例えば、当該凸部を、蓄電素子の製造時に電極端子の配置位置の把握に利用したり、電極端子に対するバスバーの位置決めに利用したりすることができる。これにより、簡易な構成で、性能不良を抑制することができる電極端子を形成することができる。
【００１０】
また、前記内部材は、前記容器を貫通する軸部と、前記軸部の外周から外方に突出した突出部とを有し、前記かしめ接合部は、前記突出部に配置されていることにしてもよい。
【００１１】
これによれば、電極端子において、かしめ接合部は、内部材の軸部の外周から外方に突出した突出部に配置されている。つまり、内部材の軸部の外側の突出部で内部材と外部材とがかしめられている。ここで、圧入により電極端子を形成したような場合には、外部材に内部材の軸部が圧入されるため、一般的にバスバーが接合される外部材の表面の中央部分（内部材の軸部に対応する部分）の平面度が悪影響を受ける。このため、内部材の当該突出部の位置でかしめ接合を行うことで、当該外部材の表面の中央部分の平面度が悪影響を受けるのを抑制することができる。これにより、簡易な構成で、性能不良を抑制することができる電極端子を形成することができる。
【００１２】
また、前記電極端子は、複数の前記かしめ接合部を有することにしてもよい。
【００１３】
これによれば、電極端子は、複数のかしめ接合部を有している。ここで、圧入により電極端子を形成した場合には、外部材が内部材の軸まわりに回転してしまうおそれがある。また、かしめ接合部を１つしか形成しない場合にも、外部材が内部材に対してかしめ接合部まわりに回転してしまうおそれがある。このため、かしめ接合部を複数形成することで、外部材が内部材に対して回転してしまうのを抑制することができる。これにより、簡易な構成で、性能不良を抑制することができる電極端子を形成することができる。
【００１４】
また、前記複数のかしめ接合部は、前記内部材の軸部を挟む位置に配置されていることにしてもよい。
【００１５】
これによれば、複数のかしめ接合部を内部材の軸部を挟む位置に形成することで、外部材が内部材の軸部まわりに回転するのを強固に抑制することができる。これにより、外部材が外部から大きな回転トルクを受けたとしても、外部材が回転するのを抑制することができるため、簡易な構成で、性能不良を抑制することができる電極端子を形成することができる。
【００１６】
また、前記かしめ接合部は、前記電極端子が前記容器を貫通する方向から見て、非円形の形状を有していることにしてもよい。
【００１７】
これによれば、かしめ接合部は、非円形の形状を有している。ここで、圧入により電極端子を形成した場合には、外部材が内部材の軸まわりに回転してしまうおそれがある。また、かしめ接合部を１つしか形成しない場合にも、外部材が内部材に対してかしめ接合部まわりに回転してしまうおそれがある。このため、かしめ接合部を非円形の形状で形成することで、かしめ接合部が単体で回転止めの機能を有することとなり、外部材がかしめ接合部まわりに回転するのを抑制することができる。これにより、簡易な構成で、性能不良を抑制することができる電極端子を形成することができる。
【００１８】
また、前記外部材及び前記内部材のうちの前記他方に向けて突出する前記一方が、前記他方よりも硬いことにしてもよい。
【００１９】
これによれば、かしめ接合部において、一方が他方に向けて突出する凹凸構造を有するため、一方が他方よりも硬いことで、やわらかい部材が硬い部材に密着することとなる。例えば、外部材がアルミ製かつ内部材が銅製で、内部材が外部材に突出する負極端子の構成や、外部材が銅製かつ内部材がアルミ製で、外部材が内部材に突出する正極端子の構成が挙げられる。このため、やわらかい部材が硬い部材に密着し、外部材と内部材とを強固に接合することができる。これにより、簡易な構成で、性能不良を抑制することができる電極端子を形成することができる。
【００２０】
なお、本発明は、このような蓄電素子として実現することができるだけでなく、当該蓄電素子が備える電極端子としても実現することができる。
【発明の効果】
【００２１】
本発明によれば、複数の部材で形成されていても、簡易な構成で、性能不良を抑制することができる電極端子を備えた蓄電素子を実現することができる。
【図面の簡単な説明】
【００２２】
【図１】実施の形態に係る蓄電素子の外観を示す斜視図である。
【図２】実施の形態に係る蓄電素子の容器内方に配置されている構成要素を示す斜視図である。
【図３】実施の形態に係る蓄電素子を分解して各構成要素を示す分解斜視図である。
【図４Ａ】実施の形態に係る負極端子の構成を示す斜視図である。
【図４Ｂ】実施の形態に係る負極端子の構成を示す断面図である。
【図５】実施の形態に係る負極端子の外部材と内部材とが接合される工程を示す断面図である。
【図６】実施の形態に係るかしめ接合部の構成を示す断面図である。
【図７Ａ】実施の形態の変形例１に係る負極端子の構成を示す斜視図である。
【図７Ｂ】実施の形態の変形例１に係る負極端子の構成を示す断面図である。
【図８Ａ】実施の形態の変形例２に係る負極端子の構成を示す斜視図である。
【図８Ｂ】実施の形態の変形例２に係る負極端子の構成を示す断面図である。
【図９Ａ】実施の形態の変形例３に係る負極端子の構成を示す斜視図である。
【図９Ｂ】実施の形態の変形例３に係る負極端子の構成を示す断面図である。
【図１０Ａ】実施の形態の変形例４に係るかしめ接合部の形状を示す平面図である。
【図１０Ｂ】実施の形態の変形例４に係るかしめ接合部の形状を示す平面図である。
【発明を実施するための形態】
【００２３】
以下、図面を参照しながら、本発明の実施の形態及びその変形例に係る蓄電素子について説明する。なお、以下で説明する実施の形態及びその変形例は、いずれも包括的または具体的な例を示すものである。以下の実施の形態及びその変形例で示される数値、形状、材料、構成要素、構成要素の配置位置及び接続形態、製造工程、製造工程の順序などは、一例であり、本発明を限定する主旨ではない。また、以下の実施の形態及びその変形例における構成要素のうち、最上位概念を示す独立請求項に記載されていない構成要素については、任意の構成要素として説明される。また、各図において、寸法等は厳密に図示したものではない。
【００２４】
また、以下の説明及び図面中において、蓄電素子が有する一対の電極端子の並び方向、一対の集電体の並び方向、または、容器の短側面の対向方向をＸ軸方向と定義する。また、容器の長側面の対向方向、容器の短側面の短手方向、または、容器の厚さ方向をＹ軸方向と定義する。また、蓄電素子の容器本体と蓋との並び方向、容器の短側面の長手方向、電極端子の外部材と内部材との並び方向、電極端子の接合部の突出方向、または、上下方向をＺ軸方向と定義する。これらＸ軸方向、Ｙ軸方向及びＺ軸方向は、互いに交差（本実施の形態では直交）する方向である。なお、使用態様によってはＺ軸方向が上下方向にならない場合も考えられるが、以下では説明の便宜のため、Ｚ軸方向を上下方向として説明する。また、以下の説明において、例えば、Ｘ軸方向プラス側とは、Ｘ軸の矢印方向側を示し、Ｘ軸方向マイナス側とは、Ｘ軸方向プラス側とは反対側を示す。Ｙ軸方向やＺ軸方向についても同様である。
【００２５】
（実施の形態）
まず、図１〜図３を用いて、本実施の形態における蓄電素子１０の全般的な説明を行う。図１は、本実施の形態に係る蓄電素子１０の外観を示す斜視図である。また、図２は、本実施の形態に係る蓄電素子１０の容器１００内方に配置されている構成要素を示す斜視図である。具体的には、図２は、蓄電素子１０から容器本体１１１を分離した状態での構成を示す斜視図である。また、図３は、本実施の形態に係る蓄電素子１０を分解して各構成要素を示す分解斜視図である。なお、同図では、容器本体１１１を省略して図示している。
【００２６】
蓄電素子１０は、電気を充電し、また、電気を放電することのできる二次電池であり、具体的には、リチウムイオン二次電池などの非水電解質二次電池である。蓄電素子１０は、例えば、電気自動車（ＥＶ）、ハイブリッド電気自動車（ＨＥＶ）またはプラグインハイブリッド電気自動車（ＰＨＥＶ）等の自動車用電源や、電子機器用電源、電力貯蔵用電源などに使用される。なお、蓄電素子１０は、非水電解質二次電池には限定されず、非水電解質二次電池以外の二次電池であってもよいし、キャパシタであってもよく、さらに、使用者が充電をしなくても蓄えられている電気を使用できる一次電池であってもよい。また、本実施の形態では、矩形状（角型）の蓄電素子１０を図示しているが、蓄電素子１０の形状は、矩形状には限定されず、円柱形状や長円柱形状等であってもよいし、ラミネート型の蓄電素子とすることもできる。
【００２７】
図１に示すように、蓄電素子１０は、容器１００と、正極端子２００と、負極端子３００とを備えている。また、図２及び図３に示すように、容器１００内方には、電極体４００と、正極集電体５００と、負極集電体６００とが収容されている。
【００２８】
なお、蓋体１１０と正極端子２００との間、及び蓋体１１０と正極集電体５００との間には、絶縁性及び気密性を高めるためにガスケット等が配置されているが、同図では省略して図示している。負極側についても、同様である。また、容器１００の内部には、電解液（非水電解質）が封入されているが、図示は省略する。なお、当該電解液としては、蓄電素子１０の性能を損なうものでなければその種類に特に制限はなく、様々なものを選択することができる。また、上記の構成要素の他、正極集電体５００及び負極集電体６００の側方に配置されるスペーサ、容器１００内の圧力が上昇したときに当該圧力を開放するためのガス排出弁、または、電極体４００等を包み込む絶縁フィルムなどが配置されていてもよい。
【００２９】
容器１００は、矩形筒状で底を備える容器本体１１１と、容器本体１１１の開口を閉塞する板状部材である蓋体１１０とで構成されている。また、容器１００は、電極体４００等を内部に収容後、蓋体１１０と容器本体１１１とが溶接等されることにより、内部を密封することができるものとなっている。なお、蓋体１１０及び容器本体１１１の材質は特に限定されず、例えばアルミニウム、アルミニウム合金、ステンレス鋼など溶接可能な金属とすることができるが、樹脂を用いることもできる。
【００３０】
電極体４００は、正極板と負極板とセパレータとを備え、電気を蓄えることができる蓄電要素（発電要素）である。正極板は、アルミニウムやアルミニウム合金などからなる長尺帯状の集電箔である正極基材層上に正極活物質層が形成された極板である。負極板は、銅や銅合金などからなる長尺帯状の集電箔である負極基材層上に負極活物質層が形成された極板である。そして、電極体４００は、正極板と負極板との間にセパレータが配置され巻回されて形成されている。
【００３１】
具体的には、電極体４００は、正極板と負極板とが、セパレータを介して、巻回軸（本実施の形態ではＸ軸方向に平行な仮想軸）の方向に互いにずらして巻回されている。そして、正極板及び負極板は、それぞれのずらされた方向の端部に、活物質層が形成されず基材層が露出した部分（活物質層非形成部）である正極集束部４１０及び負極集束部４２０を有している。なお、本実施の形態では、電極体４００の断面形状として長円形状を図示しているが、楕円形状、円形状、多角形状などでもよい。または、電極体４００は、巻回軸がＺ軸方向に平行な巻回型電極体であることにしてもよいし、平板状極板を積層したスタック型や、極板を蛇腹状に折り畳んだ形状などであってもよい。
【００３２】
正極集電体５００は、電極体４００の正極集束部４１０と容器本体１１１の側壁との間に配置され、正極端子２００と正極集束部４１０とに電気的及び機械的に接続（接合）される導電性と剛性とを備えた部材である。また、負極集電体６００は、電極体４００の負極集束部４２０と容器本体１１１の側壁との間に配置され、負極端子３００と負極集束部４２０とに電気的及び機械的に接続（接合）される導電性と剛性とを備えた部材である。また、正極集電体５００及び負極集電体６００は、蓋体１１０に固定的に接続（接合）される。この構成により、電極体４００が、正極集電体５００及び負極集電体６００によって蓋体１１０から吊り下げられた状態で保持（支持）され、振動や衝撃などによる揺れが抑制される。なお、正極集電体５００の材質は限定されないが、例えば、電極体４００の正極基材層と同様、アルミニウムまたはアルミニウム合金などで形成されている。また、負極集電体６００についても、材質は限定されないが、例えば、電極体４００の負極基材層と同様、銅または銅合金などで形成されている。
【００３３】
正極端子２００は、電極体４００の正極板に電気的に接続された電極端子であり、負極端子３００は、電極体４００の負極板に電気的に接続された電極端子である。つまり、正極端子２００及び負極端子３００は、電極体４００に蓄えられている電気を蓄電素子１０の外部空間に導出し、また、電極体４００に電気を蓄えるために蓄電素子１０の内部空間に電気を導入するための金属製の電極端子である。また、正極端子２００及び負極端子３００は、電極体４００の上方に配置された蓋体１１０に取り付けられている。
【００３４】
具体的には、図３に示すように、正極端子２００は、容器１００の外方に配置される外部材２１０と、容器１００の内方に配置される内部材２２０とを有している。そして、正極端子２００は、内部材２２０が蓋体１１０の貫通孔１１０ａと正極集電体５００の貫通孔５１０とに挿入されて、かしめられることにより、正極集電体５００とともに蓋体１１０に固定される。また、同様に、負極端子３００は、容器１００の外方に配置される外部材３１０と、容器１００の内方に配置される内部材３２０とを有している。そして、負極端子３００は、内部材３２０が蓋体１１０の貫通孔１１０ｂと負極集電体６００の貫通孔６１０とに挿入されて、かしめられることにより、負極集電体６００とともに蓋体１１０に固定される。つまり、正極端子２００及び負極端子３００は、容器１００を貫通した状態で蓋体１１０に固定される。なお、図３では、内部材２２０及び内部材３２０は、かしめられる前の状態が図示されている。
【００３５】
ここで、例えば、アルミニウム製のバスバーを電極端子に溶接で接続する場合には、電極端子の表面側の外部材２１０及び３１０は、アルミニウムまたはアルミニウム合金などで形成されるのが好ましい。また、正極端子２００の内部材２２０は、正極集電体５００と接続されるため、正極集電体５００と同様、アルミニウムまたはアルミニウム合金などで形成されるのが好ましい。また、負極端子３００の内部材３２０は、負極集電体６００と接続されるため、負極集電体６００と同様、銅または銅合金などで形成されるのが好ましい。このため、本実施の形態では、正極端子２００の外部材２１０と内部材２２０とは、一体で（１つの部材として）形成され、負極端子３００の外部材３１０と内部材３２０とは、別体で形成されている。
【００３６】
以上のような構成において、負極端子３００の外部材３１０と内部材３２０との接続の構成について、以下に詳細に説明する。なお、正極端子２００は、外部材２１０と内部材２２０とが一体に形成されているため、正極端子２００の構成の詳細な説明は省略する。
【００３７】
図４Ａは、本実施の形態に係る負極端子３００の構成を示す斜視図である。また、図４Ｂは、本実施の形態に係る負極端子３００の構成を示す断面図である。具体的には、図４Ｂは、図４Ａに示された負極端子３００を、ＩＶＢ−ＩＶＢ線を含むＸＺ平面に平行な面で切断した場合の断面図である。
【００３８】
これらの図に示すように、負極端子３００は、上述の通り、外部材３１０と内部材３２０とを有している。外部材３１０は、少なくとも一部が容器１００の外方に配置される部材であり、上述の通り、例えば、アルミニウムまたはアルミニウム合金などで形成されている。内部材３２０は、少なくとも一部が容器１００の内方に配置される部材であり、上述の通り、例えば、銅または銅合金などで形成されている。この外部材３１０及び内部材３２０の各部について、以下に詳細に説明する。
【００３９】
外部材３１０は、矩形状かつ平板状の部材であり、下面（Ｚ軸方向マイナス側の面）に、断面長円形状（つまりＺ軸方向から見て長円形状）の凹部３１１が形成されている。本実施の形態では、外部材３１０は、全ての部位が容器１００の外方に配置される。なお、外部材３１０の形状は、矩形状ではなくて上面視で円形状や長円形状などでもよく、形状は特に限定されない。
【００４０】
内部材３２０は、軸部３２１と突出部３２２とを有している。本実施の形態では、内部材３２０は、軸部３２１の下部（Ｚ軸方向マイナス側の部位）が容器１００の内方に配置され、その他の部位（軸部３２１の上部及び突出部３２２）は、容器１００の外方に配置される。
【００４１】
軸部３２１は、容器１００を貫通する円柱形状の部位であり、内部材３２０の上部の中央部分から下方（Ｚ軸方向マイナス側）に延設されて配置されている。つまり、軸部３２１は、容器１００の蓋体１１０に形成された貫通孔１１０ｂに挿入され、蓋体１１０を貫通した状態で配置される。
【００４２】
また、軸部３２１は、下部に断面円形状（つまりＺ軸方向から見て円形状）の穴部３２１ａが形成されており、下部が中空リベットの機能を有している。これにより、軸部３２１は、蓋体１１０の貫通孔１１０ｂと負極集電体６００の貫通孔６１０とに挿入されて、下部がかしめられることにより、負極端子３００を負極集電体６００とともに蓋体１１０に固定することができる構成になっている。これらの図では、軸部３２１は、かしめられる前の状態が図示されている。なお、軸部３２１は、下部に穴部３２１ａが形成されていない中実のリベットであることにしてもよい。また、軸部３２１は、円柱形状には限定されず、角柱形状などでもよく、また、リベットの機能を有することなく、負極端子３００を蓋体１１０に固定する構成を有するものでもよい。
【００４３】
突出部３２２は、軸部３２１の外周から外方に突出した部位である。具体的には、突出部３２２は、軸部３２１の上端部（Ｚ軸方向プラス側の端部）の全周から外方（ＸＹ平面に平行な方向）に突出した環状かつ平板状の部位である。また、突出部３２２は、外部材３１０の凹部３１１の形状に対応して、断面の外縁が長円形状（Ｚ軸方向から見た外縁が長円形状）を有している。つまり、突出部３２２は、外部材３１０の凹部３１１の内形状と略同一の外形状を有しており、凹部３１１に挿入されて嵌合される。これにより、外部材３１０と内部材３２０とを、容易に位置決めすることができる。
【００４４】
なお、突出部３２２及び凹部３１１の形状は、外部材３１０と内部材３２０とを位置決めできる形状であれば、どのような形状でもよい。また、突出部３２２は、凹部３１１の内形状と略同一の外形状を有していなくてもよく、また、凹部３１１内に配置されなくてもよい。または、突出部３２２は、外部材３１０と内部材３２０とを位置決めする機能を有していなくてもよい。
【００４５】
また、負極端子３００は、外部材３１０と内部材３２０とを接合するかしめ接合部３３０を有している。つまり、負極端子３００は、外部材３１０及び内部材３２０の一方が他方に向けて突出する凹凸構造で形成されたかしめ接合部３３０を有している。具体的には、かしめ接合部３３０は、内部材３２０が外部材３１０に向けて突出した凹凸構造の接合部であり、外部材３１０と内部材３２０とが互いに嵌合されて接合されている。かしめ接合部３３０は、例えば、外部材３１０及び内部材３２０をかしめることによって（詳細には、クリンチかしめ接合を行うことによって）、形成することができる。
【００４６】
ここで、かしめ接合部３３０は、突出部３２２に配置されている。具体的には、負極端子３００は、複数（本実施の形態では、２つ）のかしめ接合部３３０を有しており、この複数のかしめ接合部３３０は、内部材３２０の軸部３２１を挟む位置に配置されている。本実施の形態では、２つのかしめ接合部３３０が、軸部３２１を挟んだ対称の位置に、Ｘ軸方向に並んで配置されている。このように、かしめ接合部３３０は、突出部３２２が外部材３１０に向けて突出した凹凸構造の接合部であり、外部材３１０と突出部３２２とが互いに嵌合されて接合されている。また、かしめ接合部３３０は、負極端子３００が容器１００を貫通する方向（Ｚ軸方向）から見て、円形の形状を有している。
【００４７】
以上のかしめ接合部３３０の構成について、さらに詳細に説明する。図５は、本実施の形態に係る負極端子３００の外部材３１０と内部材３２０とが接合される工程を示す断面図である。具体的には、図５の（ａ）は、外部材３１０に内部材３２０を配置する前の状態を示す断面図であり、図５の（ｂ）は、外部材３１０に内部材３２０を配置した後の状態を示す断面図であり、図５の（ｃ）は、外部材３１０と内部材３２０とを接合した状態を示す断面図である。また、図６は、本実施の形態に係るかしめ接合部３３０の構成を示す断面図である。
【００４８】
まず、図５の（ａ）に示すように、外部材３１０と内部材３２０とが配置される。そして、図５の（ｂ）に示すように、外部材３１０の凹部３１１内に内部材３２０の突出部３２２が配置される（挿入され嵌合される）ことで、外部材３１０の下面（凹部３１１の底面）と内部材３２０の上面とが接触した状態で、外部材３１０に対して内部材３２０が配置される。そして、図５の（ｃ）に示すように、外部材３１０と内部材３２０とが、突出部３２２の位置でかしめられて、かしめ接合部３３０が形成される。
【００４９】
ここで、かしめ接合部３３０は、外部材３１０と内部材３２０（突出部３２２）とが、これらの並び方向（本実施の形態ではＺ軸方向プラス側）に突出する凹凸構造の接合部であり、互いに嵌合されて接合されている。このかしめ接合部３３０の構成について、以下に詳細に説明する。
【００５０】
図６に示すように、外部材３１０及び内部材３２０（突出部３２２）は、かしめ接合部３３０において外部材３１０側に向けて突出する凸部（外部材凸部３１０ａ及び内部材凸部３２０ａ）を有している。また、当該凸部は、当該凸部の突出方向（Ｚ軸方向）と交差する方向（同図ではＸ軸方向両側）に張り出す張出部（内部材張出部３２０ｂ）を有している。なお、当該凸部及び張出部は、例えば、かしめ接合部３３０において、外部材３１０及び内部材３２０（突出部３２２）が塑性変形することにより形成される。
【００５１】
具体的には、かしめ接合部３３０において、内部材３２０は、外部材３１０に向けて突出した内部材凸部３２０ａを有している。内部材凸部３２０ａは、内部材３２０と外部材３１０との接合面（ＸＹ平面に平行な面）と直交する方向（Ｚ軸方向）に突出した円筒形状の凸部である。言い換えれば、内部材凸部３２０ａは、内部材３２０の外面から、外部材３１０に向けて凹んだ形状を有している。また、内部材凸部３２０ａは、内部材凸部３２０ａの突出方向（Ｚ軸方向）と交差する方向（外方）に突出した内部材張出部３２０ｂを有している。本実施の形態では、内部材張出部３２０ｂは、当該突出方向と直交する方向に全周に亘って突出しているが、当該全周のうちの一部が突出していない構成でもよい。
【００５２】
また、かしめ接合部３３０において、外部材３１０は、内部材３２０から離れる方向に向けて突出した外部材凸部３１０ａを有している。外部材凸部３１０ａは、外部材３１０と内部材３２０との接合面（ＸＹ平面に平行な面）と直交する方向（Ｚ軸方向）に突出した円筒形状の凸部である。言い換えれば、外部材凸部３１０ａは、外部材３１０の内部材３２０側の面から、内部材３２０から離れる方向に向けて凹んだ形状を有している。また、外部材凸部３１０ａは、外部材凸部３１０ａの突出方向（Ｚ軸方向）と交差する方向（外方）の端部に、外部材端部３１０ｂを有している。
【００５３】
なお、内部材凸部３２０ａ、内部材張出部３２０ｂ及び外部材凸部３１０ａの突出方向は、上記の方向には限定されず、上記の方向から傾いた方向であってもよく、また、突出形状についても上記には限定されない。また、外部材端部３１０ｂについても、外部材凸部３１０ａの突出方向（Ｚ軸方向）と交差する方向（外方）に突出していてもよいが、外方に突出させない構成とすることで、接合作業後に、かしめ接合部３３０を、接合器具のダイから取り外しやすくすることができる。このため、外部材端部３１０ｂの外径（同図ではＸ軸方向の幅）は、先端に向かうほど小さくなっている。
【００５４】
また、本実施の形態では、内部材３２０は、外部材３１０よりも硬い。つまり、内部材３２０は、外部材３１０よりも、部材としての硬さが硬い。ここで、部材としての硬さが硬いとは、合金組成が異なる等により硬い材質（硬度が高い材質）で形成されていたり、部材厚さが厚く形成されていたりすることで、部材になったときの硬さが硬いことをいう。つまり、内部材３２０は、外部材３１０よりも、剛性が高いともいえる。
【００５５】
このため、内部材３２０及び外部材３１０の材質は特に限定されないが、上述の通り、内部材３２０は例えば銅または銅合金などで形成され、外部材３１０は例えばアルミニウムまたはアルミニウム合金などで形成され、内部材３２０は外部材３１０よりも硬くなっている。また、内部材３２０及び外部材３１０の形状も特に限定されないが、例えば、内部材３２０は、突出部３２２の厚み（Ｚ軸方向の厚み）が外部材３１０よりの厚み（Ｚ軸方向の厚み）よりも厚く形成されており、これによっても、内部材３２０は外部材３１０よりも硬くなっている。
【００５６】
このように、かしめ接合部３３０において、外部材３１０及び内部材３２０の一方（本実施の形態では、内部材３２０）は、他方（本実施の形態では、外部材３１０）に向けて突出する凹凸構造で形成されており、当該他方についても、当該一方から当該他方に向けた方向に突出する凹凸構造で形成されている。また、外部材３１０及び内部材３２０のうちの当該他方に向けて突出する当該一方は、当該他方よりも硬い。
【００５７】
以上のように、本発明の実施の形態に係る蓄電素子１０によれば、外部材３１０及び内部材３２０を有する負極端子３００を備え、負極端子３００は、外部材３１０及び内部材３２０の一方が他方に向けて突出する凹凸構造で形成されたかしめ接合部３３０を有している。つまり、本願発明者は、かしめによる接合は、かしめ部分に局所的な力を加えて塑性変形させればよいため、圧入による接合よりも小さな力で接合することができる点に着目した。このため、負極端子３００を形成する際に外部材３１０及び内部材３２０をかしめにより接合（かしめ接合部３３０を形成）することで、圧入により構成される従来の負極端子よりも小さな力で接合することができる。これにより、負極端子３００の平面度が悪影響を受けるのを簡易に抑制することができるため、複数の部材（外部材３１０及び内部材３２０）で形成されていても、簡易な構成で、性能不良を抑制することができる負極端子３００を形成することができる。
【００５８】
また、負極端子３００は、かしめ接合部３３０において、外部材３１０及び内部材３２０の上記他方が、上記一方から当該他方に向けた方向に突出する凹凸構造で形成されている。これにより、負極端子３００は、かしめ接合部３３０において、表面に凸部が形成されることとなる。ここで、圧入により負極端子を形成したような場合には、負極端子の表面は平坦なままであるので、負極端子の位置を把握するのが困難な場合がある。このため、負極端子３００の表面に凸部が形成されることで、当該凸部によって負極端子３００の位置を把握することができる。例えば、当該凸部を、蓄電素子１０の製造時に負極端子３００の配置位置の把握に利用したり、負極端子３００に対するバスバーの位置決めに利用したりすることができる。これにより、簡易な構成で、性能不良を抑制することができる負極端子３００を形成することができる。
【００５９】
また、負極端子３００において、かしめ接合部３３０は、内部材３２０の軸部３２１の外周から外方に突出した突出部３２２に配置されている。つまり、内部材３２０の軸部３２１の外側の突出部３２２で内部材３２０と外部材３１０とがかしめられている。ここで、圧入により負極端子を形成したような場合には、外部材に内部材の軸部が圧入されるため、一般的にバスバーが接合される外部材の表面の中央部分（内部材の軸部に対応する部分）の平面度が悪影響を受ける。このため、内部材３２０の突出部３２２の位置でかしめ接合を行うことで、外部材３１０の表面の中央部分の平面度が悪影響を受けるのを抑制することができる。これにより、簡易な構成で、性能不良を抑制することができる負極端子３００を形成することができる。
【００６０】
また、内部材３２０の軸部３２１の外側の突出部３２２で内部材３２０と外部材３１０とが接触し、この接触した位置にかしめ接合部３３０が形成されている。ここで、圧入により負極端子を形成したような場合には、内部材の軸部と外部材とが接触するような構成となるため、接触面積を広くとりにくい。一方、内部材３２０の突出部３２２と外部材３１０とが接触することで、内部材３２０と外部材３１０との接触面積を広くとることができる。これにより、簡易な構成で、性能不良を抑制することができる負極端子３００を形成することができる。
【００６１】
また、負極端子３００は、複数のかしめ接合部３３０を有している。ここで、圧入により負極端子を形成した場合には、外部材が内部材の軸まわりに回転してしまうおそれがある。また、かしめ接合部３３０を１つしか形成しない場合にも、外部材３１０が内部材３２０に対してかしめ接合部３３０まわりに回転してしまうおそれがある。このため、かしめ接合部３３０を複数形成することで、外部材３１０が内部材３２０に対して回転してしまうのを抑制することができる。これにより、簡易な構成で、性能不良を抑制することができる負極端子３００を形成することができる。
【００６２】
また、複数のかしめ接合部３３０を内部材３２０の軸部３２１を挟む位置に形成することで、外部材３１０が内部材３２０の軸部３２１まわりに回転するのを強固に抑制することができる。これにより、外部材３１０が外部から大きな回転トルクを受けたとしても、外部材３１０が回転するのを抑制することができるため、簡易な構成で、性能不良を抑制することができる負極端子３００を形成することができる。
【００６３】
また、かしめ接合部３３０において、外部材３１０及び内部材３２０の一方が他方に向けて突出する凹凸構造を有するため、当該一方が当該他方よりも硬いことで、硬い部材がやわらかい部材に食い込むことが考えられる。そのため、やわらかい部材が硬い部材に密着し、外部材３１０と内部材３２０とを強固に接合することができる。これにより、簡易な構成で、性能不良を抑制することができる負極端子３００を形成することができる。
【００６４】
（変形例１）
次に、上記実施の形態の変形例１について、説明する。図７Ａは、本実施の形態の変形例１に係る負極端子３０１の構成を示す斜視図である。また、図７Ｂは、本実施の形態の変形例１に係る負極端子３０１の構成を示す断面図である。具体的には、図７Ｂは、図７Ａに示された負極端子３０１を、ＶＩＩＢ−ＶＩＩＢ線を含むＸＺ平面に平行な面で切断した場合の断面図である。なお、図７Ａ及び図７Ｂは、図４Ａ及び図４Ｂに対応する図である。
【００６５】
これらの図に示すように、本変形例に係る負極端子３０１は、上記実施の形態に係る負極端子３００が備えるかしめ接合部３３０に代えて、かしめ接合部３３１を備えている。なお、本変形例のその他の構成については、上記実施の形態と同様のため、詳細な説明は省略する。
【００６６】
ここで、かしめ接合部３３１は、上記実施の形態のかしめ接合部３３０とは反対方向（Ｚ軸方向マイナス側）に突出する凹凸構造で形成されている。つまり、かしめ接合部３３１において、外部材３１０及び内部材３２０の一方（本変形例では、外部材３１０）は、他方（本変形例では、内部材３２０）に向けて突出する凹凸構造で形成されており、当該他方についても、当該一方から当該他方に向けた方向に突出する凹凸構造で形成されている。
【００６７】
以上のように、本変形例に係る負極端子３０１を備えた蓄電素子によれば、上記実施の形態と同様の効果を奏することができる。なお、本変形例においても、上記実施の形態と同様に、外部材及び内部材のうちの上記の一方（外部材）は、上記の他方（内部材）よりも硬いのが好ましい。このため、本変形例は、外部材を例えば銅または銅合金などで形成し、内部材を例えばアルミニウムまたはアルミニウム合金などで形成した正極端子に適用することもできる。これにより、アルミニウムよりも通電性が良い銅製のバスバーを用いることができる。
【００６８】
（変形例２）
次に、上記実施の形態の変形例２について、説明する。図８Ａは、本実施の形態の変形例２に係る負極端子３０２の構成を示す斜視図である。また、図８Ｂは、本実施の形態の変形例２に係る負極端子３０２の構成を示す断面図である。具体的には、図８Ｂは、図８Ａに示された負極端子３０２を、ＶＩＩＩＢ−ＶＩＩＩＢ線を含むＸＺ平面に平行な面で切断した場合の断面図である。なお、図８Ａ及び図８Ｂは、図４Ａ及び図４Ｂに対応する図である。
【００６９】
これらの図に示すように、本変形例に係る負極端子３０２は、上記実施の形態に係る負極端子３００が備える２つのかしめ接合部３３０に代えて、１つのかしめ接合部３３０を備えている。なお、本変形例のその他の構成については、上記実施の形態と同様のため、詳細な説明は省略する。
【００７０】
以上のように、本変形例に係る負極端子３０２を備えた蓄電素子によれば、上記実施の形態と同様の効果を奏することができる。なお、本変形例においても、かしめ接合部３３０は、軸部３２１から突出した突出部３２２に形成されているため、外部材３１０が内部材３２０に対して回転するのを抑制することができる。また、上記実施の形態では、負極端子３００は２つのかしめ接合部３３０を有し、本変形例では、負極端子３０２は１つのかしめ接合部３３０を有しているが、かしめ接合部３３０は３つ以上あってもよく、かしめ接合部３３０の個数は特に限定されない。
【００７１】
（変形例３）
次に、上記実施の形態の変形例３について、説明する。図９Ａは、本実施の形態の変形例３に係る負極端子３０３の構成を示す斜視図である。また、図９Ｂは、本実施の形態の変形例３に係る負極端子３０３の構成を示す断面図である。具体的には、図９Ｂは、図９Ａに示された負極端子３０３を、ＩＸＢ−ＩＸＢ線を含むＸＺ平面に平行な面で切断した場合の断面図である。なお、図９Ａ及び図９Ｂは、図４Ａ及び図４Ｂに対応する図である。
【００７２】
これらの図に示すように、本変形例に係る負極端子３０３は、上記実施の形態に係る負極端子３００の内部材３２０の軸部３２１及び突出部３２２に代えて、軸部３２３及び突出部３２４を備えている。軸部３２３は、穴部３２３ａが形成された筒状部位の上部開口が板状部位で塞がれたような形状を有している。そして、この軸部３２３の上部の板状部位の位置に、かしめ接合部３３２が形成されている。なお、かしめ接合部３３２は、上記実施の形態におけるかしめ接合部３３０と同様の構成を有している。また、突出部３２４は、軸部３２３の外周（全周）から外方に突出した部位であるが、突出部３２４にはかしめ接合部は形成されていないため、上記実施の形態における突出部３２２よりも突出長さが短く（Ｘ軸方向の長さが短く）形成されている。このため、外部材３１０に形成された凹部３１２についても、上記実施の形態における凹部３１１よりもＸ軸方向の長さが短く形成されている。なお、本変形例のその他の構成については、上記実施の形態と同様のため、詳細な説明は省略する。
【００７３】
以上のように、本変形例に係る負極端子３０３を備えた蓄電素子によれば、上記実施の形態と同様の効果を奏することができる。このように、かしめ接合部は、外部材３１０及び内部材３２０のどの位置に形成されていてもよい。
【００７４】
ただし、上記変形例３のように、かしめ接合部３３２が軸部３２３に設けられている場合には、外部材３１０が内部材３２０に対してかしめ接合部３３２まわりに回転してしまうおそれがある。また、圧入により負極端子を形成した場合にも、同様に、外部材が内部材の軸まわりに回転してしまうおそれがある。このため、かしめ接合部を、図１０Ａまたは図１０Ｂに示すような非円形状に形成することにしてもよい。図１０Ａ及び図１０Ｂは、本実施の形態の変形例４に係るかしめ接合部３３３、３３４の形状を示す平面図である。
【００７５】
これらの図に示すように、かしめ接合部３３３及び３３４は、負極端子が容器１００を貫通する方向（Ｚ軸方向）から見て、非円形の形状を有している。具体的には、図１０Ａに示すように、かしめ接合部３３３は、Ｚ軸方向から見て、＋字形状（またはＸ字形状）を有している。また、図１０Ｂに示すように、かしめ接合部３３４は、Ｚ軸方向から見て、２つの円形状を連ねたような形状を有している。なお、かしめ接合部の形状は、上記には限定されず、円形状でない形状であればどのような形状であってもよい。
【００７６】
以上のように、本変形例では、かしめ接合部を非円形の形状で形成することで、かしめ接合部が単体で回転止めの機能を有することとなり、外部材３１０がかしめ接合部まわりに回転するのを抑制することができる。これにより、簡易な構成で、性能不良を抑制することができる負極端子を形成することができる。なお、上記実施の形態やその変形例１、２においても、本変形例のように非円形状のかしめ接合部を形成することで、さらに回転止めの機能を強化することができる。
【００７７】
以上、本発明の実施の形態及びその変形例に係る蓄電素子について説明したが、本発明は、この実施の形態及びその変形例に限定されるものではない。つまり、今回開示された実施の形態及びその変形例は全ての点で例示であって制限的なものではないと考えられるべきである。本発明の範囲は上記した説明ではなくて特許請求の範囲によって示され、特許請求の範囲と均等の意味及び範囲内での全ての変更が含まれることが意図される。
【００７８】
例えば、上記実施の形態及びその変形例では、負極端子は、内部材３２０が容器１００を貫通した状態で蓋体１１０に固定されていることとした。しかし、負極端子は、外部材３１０が容器１００を貫通した状態で蓋体１１０に固定されていることにしてもよい。
【００７９】
また、上記実施の形態及びその変形例では、かしめ接合部において、外部材３１０及び内部材３２０の他方（外部材３１０）は、一方（内部材３２０）から当該他方に向けた方向に突出する凹凸構造で形成されていることとした。つまり、外部材３１０には、外部材凸部３１０ａが形成されていることとした。しかし、外部材３１０は、外面がフラットに加工されることで、外部材凸部３１０ａが形成されていない構成でもよい。
【００８０】
また、上記実施の形態及びその変形例では、負極端子３００は、複数のかしめ接合部を有する場合には、当該複数のかしめ接合部は同じ形状を有していることとした。しかし、複数のかしめ接合部は、同じ形状である必要はなく、上面視で異なる形状や、突出高さが異なる形状などであってもよい。
【００８１】
また、上記実施の形態及びその変形例では、負極端子が上記の構成を有していることとしたが、負極端子に代えて、または負極端子とともに、正極端子が上記の構成を有していることにしてもよい。
【００８２】
また、上記実施の形態及びその変形例に含まれる構成要素を任意に組み合わせて構築される形態も、本発明の範囲内に含まれる。
【００８３】
なお、本発明は、このような蓄電素子として実現することができるだけでなく、蓄電素子が備える電極端子（負極端子または正極端子）としても実現することができる。
【産業上の利用可能性】
【００８４】
本発明は、リチウムイオン二次電池などの蓄電素子等に適用できる。
【符号の説明】
【００８５】
１０  蓄電素子
１００  容器
２００  正極端子
２１０、３１０  外部材
２２０、３２０  内部材
３００、３０１、３０２、３０３  負極端子
３１０ａ  外部材凸部
３２０ａ  内部材凸部
３２１、３２３  軸部
３２２、３２４  突出部
３３０、３３１、３３２、３３３、３３４  かしめ接合部
【図１】
2019009045.tif 000003
【図２】
2019009045.tif 000004
【図３】
2019009045.tif 000005
【図４Ａ】
2019009045.tif 000006
【図４Ｂ】
2019009045.tif 000007
【図５】
2019009045.tif 000008
【図６】
2019009045.tif 000009
【図７Ａ】
2019009045.tif 000010
【図７Ｂ】
2019009045.tif 000011
【図８Ａ】
2019009045.tif 000012
【図８Ｂ】
2019009045.tif 000013
【図９Ａ】
2019009045.tif 000014
【図９Ｂ】
2019009045.tif 000015
【図１０Ａ】
2019009045.tif 000016
【図１０Ｂ】
2019009045.tif 000017